(57)【特許請求の範囲】
【請求項１】
上皿から誘導される遊技球を受け入れる導入口と、前記導入口から誘導された遊技球を発射装置へ供給する発射口と、前記導入口から誘導された遊技球を下皿へ排出する球抜き口と、を有する整流器を備える遊技機であって、
前記整流器が、
前記導入口から誘導される遊技球を流下させる傾斜板と、
前記導入口から誘導された遊技球を一球保持し、傾動することにより保持している遊技球を前記発射口に送る球送り片と、を備え、
前記傾斜板上の流下方向と反対方向に遊技球を流下させる勾配を前記球送り片の上端部に形成し、前記傾斜板の裏面から垂下する待機壁を、前記傾斜板の先端が前記待機壁の側面から延在するように設け、前記球送り片の上端部であって、該上端部の傾斜により前記待機壁に当接し、前記傾斜板の先端が上側に来る位置に遊技球を保持し、前記球送り片の上端部に保持される遊技球に続く遊技球が、前記保持されている遊技球と前記傾斜板の先端とに同時に接している状態において、該続く遊技球の球心が、保持されている遊技球の球心よりも、前記球抜き口側へ偏位するように前記傾斜板、前記待機壁及び前記球送り片の上端部を配置し、
前記上皿から下皿へ球抜きさせる際に、導入口からの遊技球を球抜き口側へ流下させながら、発射口側へ供給させ得ることを特徴とする遊技機。
【請求項２】
上皿から誘導される遊技球を受け入れる導入口と、前記導入口から誘導された遊技球を発射装置へ供給する発射口と、前記導入口から誘導された遊技球を一球保持し、傾動することにより保持している遊技球を前記発射口に送る球送り片と、前記導入口から誘導された遊技球を下皿へ排出する球抜き口と、を有する整流器を備える遊技機であって、前記整流器が、前記上皿から下皿へ球抜きさせる際に、前記球送り片に保持されている遊技球の上を前記導入口から誘導された他の遊技球を通過させ前記球抜き口側へ流下させることを特徴とする遊技機。
【請求項３】
前記導入口から誘導される遊技球を流下させる傾斜板を備え、前記傾斜板上の流下方向と反対方向に遊技球を流下させる勾配を前記球送り片の上端部に形成し、前記傾斜板の裏面から垂下する待機壁を、前記傾斜板の先端が前記待機壁の側面から延在するように設け、前記球送り片の上端部であって、該上端部の傾斜により前記待機壁に当接し、前記傾斜板の先端が上側に来る位置に遊技球を保持し、前記球送り片の上端部に保持される遊技球に続く遊技球が、前記保持されている遊技球と前記傾斜板の先端とに同時に接している状態において、該続く遊技球の球心が、保持されている遊技球の球心よりも、前記球抜き口側へ偏位するように前記傾斜板、前記待機壁及び前記球送り片の上端部を配置したことを特徴とする請求項２に記載の遊技機。
【請求項４】
上皿から誘導される遊技球を受け入れる導入口と、前記導入口から誘導される遊技球を流下させる傾斜板と、前記傾斜板上を流下する遊技球を発射装置へ供給する発射口と、前記傾斜板上を流下する遊技球を一球保持し、傾動することにより保持している遊技球を前記発射口に送る球送り片と、前記傾斜板上を流下する遊技球を下皿へ排出する球抜き口と、前記発射口の上方で前記傾斜板へ近接し、前記傾斜板を流下した遊技球を前記球送り片側へ流下させる第１の位置と、前記球抜き口の上方で前記傾斜板から離れ、前記傾斜板を流下した遊技球を前記球送り片側へ流下させると共に前記球抜き口側へ流下させる第２の位置との間を平行移動可能な可動壁と、を有する整流器を備えることを特徴とする遊技機。
【請求項５】
上皿から誘導される遊技球を受け入れる導入口と、前記導入口から誘導される遊技球を流下させる傾斜板と、前記傾斜板上を流下する遊技球を発射装置へ供給する発射口と、前記傾斜板上を流下する遊技球を一球保持し、傾動することにより保持している遊技球を前記発射口に送る球送り片と、前記傾斜板上を流下する遊技球を下皿へ排出する球抜き口と、前記発射口の上方で前記傾斜板に近接し、前記傾斜板を流下した遊技球を前記球送り片側へ流下させる第１の位置と、前記球抜き口の上方で前記傾斜板から離れ、前記傾斜板を流下した遊技球を前記球送り片側へ流下させると共に前記球抜き口側へ流下させる第２の位置とに回動可能な可動壁と、を有する整流器を備えることを特徴とする遊技機。
【請求項６】
前記傾斜板上の流下方向と反対方向に遊技球を流下させる勾配を前記球送り片の上端部に形成し、前記傾斜板の裏面から垂下する待機壁を、前記傾斜板の先端が前記待機壁の側面から延在するように設け、前記球送り片の上端部であって、該上端部の傾斜により前記待機壁に当接し、前記傾斜板の先端が上側に来る位置に遊技球を保持し、前記球送り片の上端部に保持される遊技球に続く遊技球が、前記保持されている遊技球と前記傾斜板の先端とに同時に接している状態において、該続く遊技球の球心が、保持されている遊技球の球心よりも、前記球抜き口側へ偏位するように前記傾斜板、前記待機壁及び前記球送り片の上端部を配置したことを特徴とする請求項４又は請求項５に記載の遊技機。
【請求項７】
遊技盤に開閉可能に取り付けられた扉形式の大入賞口を開放して、遊技球の非常に入賞し易い状態を提供する大当たり発生時に、前記可動壁を第２の位置へ移動させることを特徴とする請求項４〜請求項６のいずれか１の遊技機。
【発明の詳細な説明】
【０００１】
【発明の属する技術分野】
本発明は、パチンコ機、アレンジボール等の遊技機に関し、特に、上皿に保持された遊技球を発射装置へ供給すると共に、下皿へ球抜きさせる整流器を備える遊技機に関するものである。
【０００２】
【従来の技術】
パチンコ機には、主に、遊技盤、遊技球を貯留するための上皿、上皿から誘導された遊技球を貯留するための下皿、遊技球を遊技盤面内に発射する発射装置、及び、遊技球を下皿または発射装置へ誘導する整流器等が備えられている。また、上皿には、遊技球を上皿から下皿へ誘導する（球抜き）ための球抜きレバーが設けられている。このようなパチンコ機においては、入賞に対して賞球が付与されると、付与される遊技球は、上皿へ払い出され、その後、整流器を介して、下皿または発射装置へ誘導される。
【０００３】
ここで、上述した整流器について、図１１を参照して説明する。
図１１（Ａ）に示すように、整流器１７０は箱形状に形成されており、主に、上皿から誘導される遊技球を受け入れる導入口１７２、遊技球を発射装置に供給する発射口１７４、遊技球を下皿へ供給する球抜き口１７６、遊技球を一球保持し、傾動することにより保持している遊技球を発射口１７４に送る球送り片１８４、及び、遊技球の流路を変化させることにより遊技球を発射口１７４または球抜き口１７６のどちらか一方に流下させる流下経路変換部材１８０等が備えられている。また、流下経路変換部材１８０は上述した球抜きレバーと連動しており、球抜きレバーを操作することにより、流下経路変換部材１８０は図中の左右方向に移動する。
【０００４】
この球抜きレバーを操作して上皿から下皿へ球抜きを行う場合、図１１（Ｂ）、（Ｃ）に示すように、流下経路変換部材１８０が発射口１７４へ誘導する流路を塞ぎながら、球送り片１８４の上端部に保持されている遊技球１１０を球抜き口１７６へ誘導する流路に移動させるとともに、この球抜き口１７６へ誘導する流路を開放する。このようにして、流下経路変換部材１８０は遊技球の流路の切り換えを行っている。
【０００５】
【発明が解決しようとする課題】
しかしながら、発射口１７４へ誘導する流路の開放中、球抜き口１７６へ誘導する流路は塞がれるため、例えば、大当たりが発生して上皿が満杯になる際に、遊技を行いながら上皿から下皿に球抜きをしようとしても、遊技球を発射させながら上皿から下皿に球抜きを行うことができない。これにより、球詰まりが発生し易い状態を招いてしまう。
【０００６】
一方、球抜き口１７６へ誘導する流路の開放中、発射口１７４へ誘導する流路は塞がれるため、例えば、大当たり発生後に素早く遊技を終えようとして、上皿から下皿に球抜きを行いながら遊技球を遊技盤面内に発射しようとしても、遊技球を遊技盤面内に発射することができない。
【０００７】
本発明は、上述した課題を解決するためになされたものであり、その目的とするところは、遊技球を遊技盤面内に発射しながら、上皿の球抜きを行うことができる遊技機を提供することを目的とする。
【０００８】
【課題を解決するための手段、および発明の作用・効果】
上記した目的を達成するため、請求項１の遊技機では、上皿から誘導される遊技球を受け入れる導入口と、前記導入口から誘導された遊技球を発射装置へ供給する発射口と、前記導入口から誘導された遊技球を下皿へ排出する球抜き口と、を有する整流器を備える遊技機であって、前記整流器が、 前記導入口から誘導される遊技球を流下させる傾斜板と、前記導入口から誘導された遊技球を一球保持し、傾動することにより保持している遊技球を前記発射口に送る球送り片と、を備え、前記傾斜板上の流下方向と反対方向に遊技球を流下させる勾配を前記球送り片の上端部に形成し、前記傾斜板の裏面から垂下する待機壁を、前記傾斜板の先端が前記待機壁の側面から延在するように設け、前記球送り片の上端部であって、該上端部の傾斜により前記待機壁に当接し、前記傾斜板の先端が上側に来る位置に遊技球を保持し、前記球送り片の上端部に保持される遊技球に続く遊技球が、前記保持されている遊技球と前記傾斜板の先端とに同時に接している状態において、該続く遊技球の球心が、保持されている遊技球の球心よりも、前記球抜き口側へ偏位するように前記傾斜板、前記待機壁及び前記球送り片の上端部を配置し、前記上皿から下皿へ球抜きさせる際に、導入口からの遊技球を球抜き口側へ流下させながら、発射口側へ供給させ得ることを技術的特徴とする。
【０００９】
請求項１の発明では、整流器には遊技球を発射装置へ誘導する流路と、遊技球を下皿へ誘導する流路とが形成され、この整流器は遊技球をこれら２つの流路に同時に流下させることができる構成となっている。このため、上皿から下皿へ球抜きさせている間に、発射装置から遊技球が発射されていれば、上皿に保持された遊技球を発射装置へ供給すると共に、下皿へ球抜きさせることができる。
【００１０】
また、上皿から誘導される遊技球を受け入れる導入口と、前記導入口から誘導された遊技球を発射装置へ供給する発射口と、前記導入口から誘導された遊技球を下皿へ排出する球抜き口と、を有する整流器を備える遊技機であって、前記整流器が、前記上皿から下皿へ球抜きさせる際に、導入口からの遊技球を球抜き口側へ流下させながら、発射口側へ供給させ得る。
【００１１】
このため、上皿から下皿へ球抜きさせている間に、発射装置から遊技球が発射されていれば、上皿に保持された遊技球を発射装置へ供給すると共に、下皿へ球抜きさせることができる。
【００１２】
さらに、整流器は、導入口から誘導される遊技球を流下させる傾斜板と、傾斜板上の流下方向と反対方向に流下する勾配が上端部に形成された球送り片と、傾斜板の先端が突出するように傾斜板の裏面に配設された待機壁とを備えており、傾斜板を流下し、球送り片を介して遊技球を発射口へ誘導する流路と、傾斜板を流下し、遊技球を球抜き口へ誘導する流路とが形成されている。即ち、球送り片の上端部に形成した勾配により、発射口へ誘導される第１の遊技球は、傾斜板上の流下方向と略反対方向に流下し、待機壁に当接して待機する。ここで、傾斜板の先端は待機壁よりも突出しているため、待機壁に当接している第１の遊技球に続く第２の遊技球が第１の遊技球と傾斜板の先端とに同時に接している状態において、第２の遊技球の球心を通る垂線は、第１の遊技球の球心を通る垂線よりも傾斜壁の先端側（球抜き口側）に位置する。つまり、第１の遊技球の球心と第２の遊技球の球心とが偏位するような位置関係により、第１の遊技球の球抜き口側の上面が第２の遊技球にとって球抜き口へ流下するための案内面となるため、傾斜板上を流下する第２の遊技球を球送り片の上端部に保持されている第１の遊技球の上を容易に通過させることが可能となる。これにより、遊技球の流れを円滑にして、導入口から流下する遊技球を、遊技球を発射口へ誘導する流路、及び、遊技球を球抜き口へ誘導する流路に同時に流下させることができる。
【００１３】
請求項２の遊技機では、上皿から誘導される遊技球を受け入れる導入口と、前記導入口から誘導された遊技球を発射装置へ供給する発射口と、前記導入口から誘導された遊技球を一球保持し、傾動することにより保持している遊技球を前記発射口に送る球送り片と、前記導入口から誘導された遊技球を下皿へ排出する球抜き口と、を有する整流器を備える遊技機であって、前記整流器が、前記上皿から下皿へ球抜きさせる際に、前記球送り片に保持されている遊技球の上を前記導入口から誘導された他の遊技球を通過させ前記球抜き口側へ流下させることを技術的特徴とする。
【００１４】
請求項２の発明では、第１の遊技球が導入口から整流器内に進入すると、第１の遊技球は球送り片の上端部に落下し、球送り片に保持される。この第１の遊技球が球送り片に保持されている際に、第２の遊技球が進入すると、第２の遊技球は球送り片の上端部に落下した第１の遊技球の上を通過することにより、球抜き口へ流下する。一方、球送り片が傾動することにより、球送り片に保持されている第１の遊技球は発射口に流下する。これにより、導入口から誘導される遊技球を発射口及び球抜き口へ誘導することが可能となるため、遊技球を遊技盤面内に発射させながら、遊技球を下皿に供給することができる。
【００１５】
請求項３の発明では、整流器は、導入口から誘導される遊技球を流下させる傾斜板と、傾斜板上の流下方向と反対方向に流下する勾配が上端部に形成された球送り片と、傾斜板の先端が突出するように傾斜板の裏面に配設された待機壁とを備えており、上皿から下皿へ球抜きさせる際に、球送り片に保持されている遊技球の上を導入口から誘導された他の遊技球を通過可能に球抜き口側へ流下させ得るように形成されている。即ち、球送り片の上端部に形成した勾配により、発射口へ誘導される第１の遊技球は、傾斜板上の流下方向と略反対方向に流下し、待機壁に当接して待機する。ここで、傾斜板の先端は待機壁よりも突出しているため、待機壁に当接している第１の遊技球に続く第２の遊技球が第１の遊技球と傾斜板の先端とに同時に接している状態において、第２の遊技球の球心を通る垂線は、第１の遊技球の球心を通る垂線よりも傾斜壁の先端側（球抜き口側）に位置する。つまり、第１の遊技球の球心と第２の遊技球の球心とが偏位するような位置関係により、第１の遊技球の球抜き口側の上面が第２の遊技球にとって球抜き口へ流下するための案内面となるため、傾斜板上を流下する第２の遊技球を球送り片の上端部に保持されている第１の遊技球の上を容易に通過させることが可能となる。これにより、第１の遊技球が球送り片に保持されている際に、第２の遊技球が進入すると、第２の遊技球は球送り片の上端部に落下した第１の遊技球の上を通過することにより、球抜き口へ流下する。一方、球送り片が傾動することにより、球送り片に保持されている第１の遊技球は発射口に流下する。これにより、遊技球の流れを円滑にして、導入口から誘導される遊技球を発射口及び球抜き口へ誘導することが可能となるため、遊技球を遊技盤面内に発射させながら、遊技球を下皿に供給することができる。
【００１６】
請求項４の遊技機では、上皿から誘導される遊技球を受け入れる導入口と、前記導入口から誘導される遊技球を流下させる傾斜板と、前記傾斜板上を流下する遊技球を発射装置へ供給する発射口と、前記傾斜板上を流下する遊技球を一球保持し、傾動することにより保持している遊技球を前記発射口に送る球送り片と、前記傾斜板上を流下する遊技球を下皿へ排出する球抜き口と、前記発射口の上方で前記傾斜板へ近接し、前記傾斜板を流下した遊技球を前記球送り片側へ流下させる第１の位置と、前記球抜き口の上方で前記傾斜板から離れ、前記傾斜板を流下した遊技球を前記球送り片側へ流下させると共に前記球抜き口側へ流下させる第２の位置との間を平行移動可能な可動壁と、を有する整流器を備えることを技術的特徴とする。
【００１７】
請求項４の発明では、遊技球が導入口から整流器内に進入すると、遊技球は傾斜板上を流下し、球送り片の上端部に落下し、その後、球送り片に保持される。可動壁を第１の位置から第２の位置に平行移動させることで、遊技球を球抜き口へ誘導する流路を開放させ、遊技球を球抜き口へ流下させる。一方、球送り片を傾動させることで、球送り片に保持されている第１の遊技球を発射口へ流下させる。これにより、導入口から誘導される遊技球を発射口及び球抜き口へ誘導することが可能となるため、遊技球を発射しながら、上皿の球抜きを行うことが可能となる。
【００１８】
請求項５の遊技機では、上皿から誘導される遊技球を受け入れる導入口と、前記導入口から誘導される遊技球を流下させる傾斜板と、前記傾斜板上を流下する遊技球を発射装置へ供給する発射口と、前記傾斜板上を流下する遊技球を一球保持し、傾動することにより保持している遊技球を前記発射口に送る球送り片と、前記傾斜板上を流下する遊技球を下皿へ排出する球抜き口と、前記発射口の上方で前記傾斜板に近接し、前記傾斜板を流下した遊技球を前記球送り片側へ流下させる第１の位置と、前記球抜き口の上方で前記傾斜板から離れ、前記傾斜板を流下した遊技球を前記球送り片側へ流下させると共に前記球抜き口側へ流下させる第２の位置とに回動可能な可動壁と、を有する整流器を備えることを技術的特徴とする。
【００１９】
請求項５の発明では、遊技球が導入口から整流器内に進入すると、遊技球は傾斜板上を流下し、球送り片の上端部に落下し、その後、球送り片に保持される。可動壁を第１の位置から第２の位置に回動させることで、遊技球を球抜き口へ誘導する流路を開放させ、遊技球を球抜き口へ流下させる。一方、球送り片を傾動させることで、球送り片に保持されている第１の遊技球を発射口へ流下させる。これにより、導入口から誘導される遊技球を発射口及び球抜き口へ誘導することが可能となるため、遊技球を発射しながら、上皿の球抜きを行うことが可能となる。
【００２０】
請求項６の発明では、傾斜板上の流下方向と反対方向に流下する勾配を球送り片の上端部に形成し、傾斜板の先端が突出するように傾斜板の裏面に待機壁を配設している。即ち、球送り片の上端部に形成した勾配により、発射口へ誘導される第１の遊技球は、傾斜板上の流下方向と略反対方向に流下し、待機壁に当接して待機する。ここで、傾斜板の先端は待機壁よりも突出しているため、待機壁に当接している第１の遊技球に続く第２の遊技球が第１の遊技球と傾斜板の先端とに同時に接している状態において、第２の遊技球の球心を通る垂線は、第１の遊技球の球心を通る垂線よりも傾斜壁の先端側（球抜き口側）に位置する。つまり、第１の遊技球の球心と第２の遊技球の球心とが偏位するような位置関係により、第１の遊技球の球抜き口側の上面が第２の遊技球にとって球抜き口へ流下するための案内面となるため、傾斜板上を流下する第２の遊技球を球送り片の上端部に保持されている第１の遊技球の上を容易に通過させることが可能となる。したがって、遊技球を球抜き口へ流下させる際に、遊技球の流れを円滑にすることができる。
【００２１】
請求項７では、大当たり発生等の所定条件の成立により可動壁を第２の位置へ移動させる。即ち、大当たりの発生時に、可動壁を第２の位置へ移動させることで、遊技球を発射させながら、上皿の球抜きを自動で行うことができる。このため、大当たりが発生しても、上皿が満杯になることがなく、球詰まりの発生を防止できる。
【００２２】
【発明の実施の形態】
以下、本発明に係る遊技機の実施形態について図を参照して説明する。なお、以下の実施形態では、この発明に係る遊技機として、パチンコ機を例に挙げて説明する。
まず、第１実施形態のパチンコ機の主要構成について、図１及び図２を参照して説明する。図１は、本実施形態のパチンコ機を示す斜視図であり、図２は、本実施形態のパチンコ機の内部構造を示す説明図である。
【００２３】
パチンコ機１０には、内枠１２が外枠１１に上下一対のヒンジ１４で開閉可能に備えられており、その内枠１２には、上皿パネル１８及びガラス枠２６が開閉可能に取付けられている。ガラス枠２６の裏面側には、遊技盤１３が配置されており、ガラス枠２６の右側には、ガラス枠２６開閉用の鍵を差し込む鍵穴１５が設けられている。ガラス枠２６の下方には、上皿パネル１８が設けられており、上皿パネル１８の右側には、上皿パネル１８開閉用の鍵を差し込む鍵穴１６が設けられている。
【００２４】
上皿パネル１８の左側上部には、賞球及び貸球が導出される上皿賞球排出口１９が形成されており、この上皿賞球排出口１９の排出側には、その上皿賞球排出口１９から排出された遊技球を溜めておくための上皿２０が取り付けられている。上皿２０の前面には、遊技球を貸し出すための貸球ボタン４６と、プリペイドカードを返却するための返却ボタン４７とが設けられている。上皿２０の下方には、その上皿２０で収容しきれなくなった賞球を排出するための下皿賞球排出口２１が形成されており、この下皿賞球排出口２１の排出側には、その下皿賞球排出口２１から排出された賞球を溜めておくための下皿２２が設けられている。
【００２５】
下皿２２の右方には、上皿２０から供給された遊技球を遊技盤１３へ発射する発射モータ（図示せず）を操作するための発射ハンドル２３が、回転可能に取付けられており、その発射ハンドル２３には、発射途中で発射を停止するための発射停止ボタン（図示せず）が設けられている。また、上皿２０の右方には、上皿２０に溜められた賞球を下皿２２へ抜くための上皿球抜きレバー２５がスライド可能に取付けられている。
【００２６】
上皿パネル１８及びガラス枠２６を開いた状態である図２に示すように、上皿パネル１８の裏面の右側（図中左側）には上皿２０を介して供給された遊技球を発射モータ（図示せず）の駆動により作動する発射鎚６４及び下皿２２へ供給するための整流器７０が配置されており、上皿パネル１８の裏面の略中央下部には整流器７０から排出された遊技球を下皿２２へ誘導するための流出口６６が配設されている。遊技盤１３の下方で流出口６６と対応する位置には、流出口６６から誘導された遊技球を下皿賞球排出口２１へ誘導する受入口６７が配設されており、受入口６７の右方には、遊技球を遊技盤１３へ誘導する発射レール６３が配設されている。発射レール６３の右方で隣接する位置には、遊技球を遊技盤１３へ打ち出す発射鎚６４が整流器７０と対応するように配設されている。
【００２７】
次に、遊技盤１３の構成について図３を参照して説明する。
遊技盤１３の略中央にはセンターケース３０が配置されている。センターケース３０には、天入賞口３１と、液晶表示で特別図柄を表示する特別図柄表示器３４と、この特別図柄表示器３４の始動される回数を表示する４個のＬＥＤからなる特別図柄記憶ＬＥＤ３５とが備えられている。
【００２８】
センターケース３０の下方には、特別図柄表示器３４を作動させるための第１種始動口４１が設けられており、この第１種始動口４１の下部には普通電動役物４２が設けられている。開放された普通電動役物４２は、第１種始動口４１と同様に、特別図柄表示器３４を作動開始させる機能を備えている。
【００２９】
第１種始動口４１の下方には、当たりの発生時に開放される扉形式の大入賞口５１が開閉可能に取り付けられており、この大入賞口５１の両側には、普通入賞口５２，５２がそれぞれ設けられている。また、大入賞口５１の内部には、特定領域（図示せず）が形成されている。左側の普通入賞口５２の左側（外側）には、３個のＬＥＤからなる普通図柄表示装置３２が、右側の普通入賞口５２の右側（外側）には、普通図柄表示装置３２の始動される回数を表示する４個のＬＥＤからなる普通図柄記憶ＬＥＤ３３が配置されている。
【００３０】
センターケース３０の左右には、普通図柄表示装置３２を作動させるための普通図柄作動ゲート４０，４０が設けられている。普通電動役物４２は、普通図柄表示装置３２の停止図柄が所定の当たり図柄となった場合に開放されるよう構成されている。遊技盤１３の下方には、入賞しなかった遊技球をアウト球として回収するアウト口５５とが設けられている。
【００３１】
また、普通図柄表示装置３２、または、普通電動役物４２の作動中に遊技球が普通図柄作動ゲート４０を通過した場合は、最初の４個までが始動記憶となり、普通図柄記憶ＬＥＤ３３の点灯数でもって記憶数が表示され、普通図柄が変動可能となると、その始動記憶に基づいて変動が開始される。
【００３２】
液晶表示装置（ＬＣＤ）からなる特別図柄表示器３４は、遊技球が第１種始動口４１または開放した普通電動役物４２に入賞した際に、０〜９の１０種類の図柄を左表示領域３４ａ、中表示領域３４ｂ、右表示領域３４ｃの３箇所の図柄表示領域に変動表示する。
【００３３】
そして、変動開始後、所定の変動固定時間が経過すると、左表示領域３４ａ、右表示領域３４ｃ、中表示領域３４ｂの順に変動を停止し、図柄が一致、例えば、図中に示すように１，１，１で揃うことにより大当たりとなって大入賞口５１が開放される。
【００３４】
特別図柄表示器３４が作動中、または、大当たり状態の時に、遊技球が第１種始動口４１または開放した普通電動役物４２に入賞した場合は、最初の４個までが始動記憶となり、特別図柄記憶ＬＥＤ３５によって記憶数が表示される。そして、特別図柄が変動可能な状態になると、その始動記憶に基づいて変動が開始されるとともに、特別図柄記憶ＬＥＤ３５が１つ消灯される。
【００３５】
次に、図３を参照し第１実施形態のパチンコ機による遊技のあらましについて説明する。
〔普通図柄表示装置による遊技〕
ここでは、まず、普通図柄作動ゲート４０、４０への遊技球の通過に伴うについて説明する。遊技球が普通図柄作動ゲート４０、４０を通過すると、普通図柄表示装置３２の左上ダイオード、中央ダイオード、右下ダイオードが順次点灯（変動表示）する。
【００３６】
ここで、普通図柄表示装置３２の変動表示中、又は、普通電動役物４２の開放中に、更に、遊技球が普通図柄作動ゲート４０、４０を通過すると、普通図柄記憶ＬＥＤ３３のＬＥＤが順次点灯し、普通図柄表示装置３２の変動が開始になる都度消されることにより記憶個数が表示される。なお、上述した遊技球が普通図柄作動ゲート４０、４０を通過してもそれが記憶されるのは最初の４個までで、それ以上の値は保持されない。この入賞が記憶されている状態においては、普通図柄表示装置３２での変動停止後、再び変動が開始される。
【００３７】
普通図柄表示装置３２の変動開始後、変動固定時間である２８秒変動させた後、表示図柄が後述する乱数によって選択された停止図柄と一致したときに変動を停止させる。ここで、左上ダイオード、又は、右下ダイオードのいずれか１個でも点灯した状態であれば、当たりとなり、普通電動役物４２が０．５秒間開放される。
【００３８】
〔特別図柄表示器による遊技〕
引き続き、特別図柄表示器３４による遊技について説明する。
遊技球が第１種始動口４１又は普通電動役物４２へ入賞すると、特別図柄表示器３４は、各表示領域３４ａ、３４ｂ、３４ｃにて０〜９の図柄の変動をそれぞれ開始する。そして、予め設定された時間が経過すると、左表示領域３４ａの図柄を停止、次に、右表示領域３４ｃの図柄を停止し、最後に、中表示領域３４ｂの図柄を停止する。ここで、左表示領域３４ａ、中表示領域３４ｂ、右表示領域３４ｃの図柄が異なる場合には、ハズレとなる。他方、図２中に示すように図柄が同一のときには、大当たりとなる。
【００３９】
大当たりが発生すると、大入賞口５１を約２９．５秒開放して、遊技球の非常に入賞し易い状態を提供する。そして、該２９．５秒の経過又は開放時間内であっても遊技球が９個入賞することにより大入賞口５１が閉じられる。この大入賞口５１の開放中に、入賞球が特定領域（図示せず）を通過することにより大入賞口５１は再び開放される。なお、この大入賞口５１の開放回数は最高１６回までである。
【００４０】
そして、大入賞口５１の開放中に遊技機が特定領域を通過しなかった場合、もしくは前記最高の１６回の開放を繰り返した際には、大入賞口の開放を終了する。本実施形態では、大入賞口５１に数個の入賞があれば、入賞した遊技球の内のいずれかが特定領域を通過するように設定されている。従って、大入賞口５１が最初に開放された際に、少なくとも１球の入賞があり、かつ、大入賞口の開放中に遊技球の発射が途絶えない限り、ほぼ確実に上限の１６回まで大入賞口の開放が繰り返されるように設定されている。
【００４１】
ここで、特別図柄表示器３４にて０〜９の図柄の変動表示を行っている最中に、更に、第１種始動口４１又は普通電動役物４２へ遊技球が入賞すると、この入賞個数が記憶され、特別図柄記憶ＬＥＤ３５にて順次表示される。なお、上述した遊技球が第１種始動口４１に入賞してもそれが記憶されるのは最初の４個までで、それ以上の値は保持されない。この入賞が記憶されている状態においては、特別図柄表示器３４での変動停止後、再び変動が開始される。
【００４２】
本実施形態のパチンコ機では、上皿２０から保持された遊技球を整流器７０により発射鎚６４を送り出し遊技盤へ発射させ、また、下皿２２側へ球抜きさせる。この整流器７０について、図４及び図５を参照して説明する。
図４（Ａ）、（Ｂ）は、整流器７０の内部構造を示す説明図であり、図５は、整流器７０に用いられる可動壁８０を示す斜視図である。
【００４３】
図４（Ａ）に示すように、上皿パネル１８（図１参照）の裏面に取り付けられている整流器７０は箱形状に形成されている。整流器７０の右側上部には、上皿２０から誘導される遊技球を受け入れる導入口７２が形成されており、整流器７０の略中央下部には、遊技球を発射鎚６４（図２参照）に誘導する発射口７４が形成されている。発射口７４の左側には、遊技球を下皿２２へ誘導する球抜き口７６が形成されている。整流器７０の略中央には、上皿球抜きレバー２５（図１参照）の操作により図中左方向に平行移動する可動壁８０が配設されており、可動壁８０の裏面側には可動壁８０を平行移動させるための長溝部８３が形成されている。可動壁８０の下方には、支軸８４ｃを中心に傾動可能な球送り片８４が配設されている。可動壁８０の右側には、遊技球を流下させる傾斜板７８が配設されており、傾斜板７８の左側先端部の裏面には、傾斜板７８の左側先端を突出させるように待機壁８８が配設されている。
【００４４】
上述した可動壁８０は、図５に示すように、遊技球の流路を遮断可能な流路遮断部材８１と、流路遮断部材８１を水平移動させる移動部材８２とからなる。流路遮断部材８１は、断面を略く字形状にした板形状であり、移動部材８２の表面に垂直に配設されている。移動部材８２は、矩形状の板形状であり、上述した長溝部８３に嵌合して、摺動し得る嵌合部材８２ａが裏面に一対形成されている。
【００４５】
また、上述した球送り片８４は、遊技球を保持する上端部８４ａと、上端部８４ａから誘導された遊技球を発射口７４に送る凹部８４ｂとからなり、支軸８４ｃによって整流器７０に軸支されている。上端部８４ａには、遊技球を傾斜板７８上の流下方向（図中左下がり）と反対方向に流下させ得る勾配（図中右下がり）が形成されており、凹部８４ｂは、遊技球を保持可能に凹形状に湾曲している。
【００４６】
可動壁８０は、図示しないバネにより付勢され、常には図４（Ａ）に示す整流器７０の略中央の第１位置８５ａに位置している。遊技者が球抜きレバー２５を操作すると、可動壁８０は長溝部８３に沿って平行移動し、図４（Ｂ）に示す球抜き口７６の上方の第２位置（球抜き位置）８５ｂへ至る。一方、可動壁８０が第２位置８５ｂに位置している際に、遊技者が球抜きレバー２５から手を離すと、可動壁８０はバネにより長溝部８３に沿って平行移動し、図４（Ａ）に示す第１位置８５ａに復帰する。
【００４７】
また、球送り片８４は、図４（Ａ）に示すように、上端部８４ａが第１位置８５ａの下方に位置している際に、発射ハンドル２３を操作すると、図４（Ｂ）に示すように、球送り片８４は支軸８４ｃを中心に時計回りに傾動し、更に、図４（Ａ）に示すように、支軸８４ｃを中心に反時計回りに傾動して元の状態に戻る。
【００４８】
次に、整流器７０内の遊技球の流れについて、図６及び図７を参照して説明する。
図６（Ａ）、（Ｂ）（Ｃ）及び（Ｄ）は、整流器７０内の遊技球の流れを示す説明図であり、図７は、図６（Ａ）の遊技球の位置関係を示す説明図である。
【００４９】
球抜きレバー２５が操作されていない場合、図６（Ａ）に示すように、可動壁８０は第１位置８５ａに位置しているため、先頭の遊技球１００ａは球送り片８４の上端部８４ａに保持されており、２番目の遊技球１００ｂは先頭の遊技球１００ａの上で可動壁８０に当接する。ここで、図７に示すように、２番目の遊技球１００ｂが先頭の遊技球１００ａと傾斜板７８の先端とに同時に接している状態において、２番目の遊技球１００ｂの球心１０２ｂを通る垂線は、先頭の遊技球１００ａの球心１０２ａを通る垂線よりもαだけ球抜き口７６側（図中左側）に位置している。このとき、先頭の遊技球１００ａの球抜き口７６側の上面１０８ａ（図中二点鎖線）は、２番目の遊技球１００ｂにとって球抜き口７６へ流下するための案内面となっている。
【００５０】
この際に、発射ハンドル２３（図１参照）が操作されると、図６（Ｂ）に示すように、球送り片８４が支軸８４ｃを中心に時計回りに傾動することにより、先頭の遊技球１００ａは上端部８４ａから凹部８４ｂに誘導される。その後、球送り片８４が支軸８４ｃを中心に反時計回りに傾動することにより、先頭の遊技球１００ａは凹部８４ｂから発射口７４に誘導され、発射口７４から送り出された遊技球１００ａは発射鎚６４によって遊技盤１３内に発射される。２番目の遊技球１００ｂは上端部８４ａに誘導され、３番目の遊技球１００ｃは２番目の遊技球１００ｂの上で可動壁８０に当接し、３番目の遊技球１００ｃの球心が２番目の遊技球１００ｂの球心よりも可動壁８０側に偏位した位置に誘導される。
【００５１】
一方、発射ハンドル２３の操作中に球抜きレバー２５が操作されると、図６（Ｃ）に示すように、可動壁８０は第２位置８５ｂに平行移動し、２番目の遊技球１００ｂは、球送り片８４の上端部８４ａで保持される。ここで、上述したように、上端部８４ａに保持される遊技球１００ｂの球抜き口７６側の上面が後続の遊技球にとって球抜き口７６へ流下するための案内面となっているため、３番目の遊技球１００ｃ及び４番目の遊技球１００ｄは上端部８４ａに保持されている遊技球１００ｂの上を通過し、球抜き口７６へ誘導され、その後、下皿２２に排出（球抜き）される。
【００５２】
この際に、発射ハンドル２３の操作により、図６（Ｄ）に示すように、球送り片８４が支軸８４ｃを中心に時計回りに傾動することで、２番目の遊技球１００ｂは上端部８４ａから凹部８４ｂに誘導される。その後、支軸８４ｃを中心に反時計回りに傾動することにより、２番目の遊技球１００ｂは凹部８４ｂから発射口７４に誘導され、５番目の遊技球１００ｅが上端部８４ａに誘導される。
【００５３】
本発明の第１実施形態では、可動壁８０を第１位置８５ａから第２位置８５ｂに平行移動させることで、遊技球を球抜き口７６へ誘導する流路を開放させ、遊技球１００ｃ及び遊技球１００ｄを球抜き口７６へ流下させる。一方、球送り片８４を傾動させることで、球送り片８４に保持されている遊技球１００ｂを発射口７４へ流下させる。これにより、導入口７２から誘導される遊技球を発射口７４及び球抜き口７６へ誘導することが可能となるため、遊技球を発射しながら、上皿の球抜きを行うことが可能となる。従って、大当たり等で上皿が満杯となった際に発生し易い球詰まりを防止することができる。また、大当たり等の遊技完了と共に素早く遊技を終了することが可能となる。
【００５４】
また、可動壁８０の下端は、傾斜板７８上の流下方向と略反対方向に流下するような勾配が設けられている。更に、傾斜板７８上の流下方向と反対方向に流下する勾配を球送り片８４の上端部８４ａに形成し、傾斜板７８の先端が突出するように傾斜板７８の裏面に待機壁８８を配設している。
即ち、図７に示すように球送り片８４の上端部８４ａに形成した勾配により、発射口７４へ誘導される第１の遊技球１００ａは、傾斜板７８上の流下方向と略反対方向に流下し、待機壁８８に当接して待機する。ここで、傾斜板７８の先端は待機壁８８よりも図中左側（球抜き口７６側）へ突出しているため、待機壁８８に当接している第１の遊技球１００ａに続く第２の遊技球１００ｂが第１の遊技球１００ａと傾斜板７８の先端とに同時に接している状態において、第２の遊技球１００ｂの球心１０２ｂを通る垂線は、第１の遊技球１００ａの球心１０２ａを通る垂線よりも、αだけ傾斜板７８の先端側（球抜き口７６側）に位置する。つまり、第１の遊技球１００ａの球心１０２ａと第２の遊技球１００ｂの球心１０２ｂとが偏位するような位置関係により、第１の遊技球１００ａの球抜き口７６側の上面１０８ａが第２の遊技球１００ｂにとって球抜き口７６へ流下するための案内面となるため、傾斜板７８上を流下する第２の遊技球１００ｂを球送り片８４の上端部８４ａに保持されている第１の遊技球１００ａの上を容易に通過させることが可能となる。したがって、遊技球を発射口７４及び球抜き口７６へ流下させる際に、遊技球の流れを円滑にすることができる。
【００５５】
図８〜図１０を参照して、第２実施形態に係るパチンコ機について説明する。上述した第１実施形態では、左右方向に平行移動可能な可動壁８０を整流器７０に配設し、球抜きレバー２５を操作することにより、可動壁８０を平行移動させた。これに対して、第２実施形態では、回動可能な可動壁９０を整流器７０に配設し、遊技者により球抜きレバー２５が操作された際、及び、大当たりが発生した際に自動的に可動壁９０を回動させる。
【００５６】
図８（Ａ）、（Ｂ）は、第２実施形態に係る整流器７０の内部構造を示す説明図であり、図９は、第２実施形態に係る整流器７０に用いられる可動壁９０を示す斜視図である。また、図１０（Ａ）、（Ｂ）及び（Ｃ）は、第２実施形態に係る整流器７０内での遊技球の流れ示す説明図である。
【００５７】
図８（Ａ）に示すように、上皿パネル１８の裏面に取り付けられている整流器７０は箱形状に形成されている。整流器７０の右側上部には、上皿２０から誘導される遊技球を受け入れる導入口７２が形成されており、整流器７０の略中央下部には、遊技球を発射鎚６４に誘導する発射口７４が形成されている。発射口７４の左側には、遊技球を下皿へ誘導する球抜き口７６が形成されている。整流器７０の略中央には、上皿球抜きレバー２５の操作、または、大当たりの発生により、図示しないソレノイドによって回動する可動壁９０が配設されており、可動壁９０の下方には、支軸８４ｃを中心に傾動可能な球送り片８４が配設されている。可動壁８０の右側には、遊技球を流下させる傾斜板７８が配設されており、傾斜板７８の左側先端部の裏面には、傾斜板７８の左側先端を突出させるように待機壁８８が配設されている。
【００５８】
上述した可動壁９０は、図９に示すように、遊技球の流路を遮断可能な流路遮断部材９１と、流路遮断部材９１を回動させるための支軸９２とからなる。流路遮断部材９１は、断面を略扇形状にした板形状であり、基部９１ｂ側に幅方向に沿って円柱形状の支軸９２が固定されている。
なお、球送り片８４は第１実施例と同様であるため、説明を省略する。
【００５９】
図８（Ａ）に示すように、可動壁９０の先端部９１ａが発射口７４の上方の第１位置９５ａに位置している際に、遊技者が球抜きレバー２５を操作した際、または、大当たりが発生すると間欠的に、図８（Ｂ）に示すよう可動壁９０は、先端部９１ａが球抜き口７６の上方の第２位置９５ｂに移動するように、支軸９２を中心に回動する。一方、先端部９１ａが第２位置９５ｂに位置し、大当たりが発生していない際に、遊技者が球抜きレバー２５から手を離すと、図８（Ａ）に示すように、可動壁９０は、先端部９１ａが第１位置９５ａに移動するように、支軸９２を中心に回動する。
【００６０】
次に、第２実施形態に係る整流器７０内の遊技球の流れについて、整流器７０内の遊技球の流れを示す説明図である図１０を参照して説明する。
球抜きレバー２５が操作されず、また、大当たりも発生していない場合、図１０（Ａ）に示すように、可動壁９０の先端部９１ａは第１位置９５ａに位置しているため、先頭の遊技球１００ａは球送り片８４の上端部８４ａに保持されており、２番目の遊技球１００ｂは先頭の遊技球１００ａの上で可動壁９０に当接している。ここで、２番目の遊技球１００ｂが先頭の遊技球１００ａと傾斜板７８の先端とに同時に接している状態において、２番目の遊技球１００ｂの球心を通る垂線は、先頭の遊技球１００ａ球心を通る垂線よりも球抜き口７６側（図中左側）に位置する。このとき、先頭の遊技球１００ａの球抜き口７６側の上面は、２番目の遊技球１００ｂにとって球抜き口７６へ流下するための案内面となる。
【００６１】
この際に、発射ハンドル２３が操作されると、球送り片８４が支軸８４ｃを中心に時計回りに傾動することにより、先頭の遊技球１００ａは上端部８４ａから凹部８４ｂに誘導される。その後、球送り片８４が支軸８４ｃを中心に反時計回りに傾動することにより、先頭の遊技球１００ａは凹部８４ｂから発射口７４に誘導され、発射口７４から送り出された先頭の遊技球１００ａは発射鎚６４によって遊技盤１３内に発射される。２番目の遊技球１００ｂは上端部８４ａに誘導され、３番目の遊技球１００ｃは２番目の遊技球１００ｂの上で可動壁９０に当接する位置に誘導される。
【００６２】
一方、図１０（Ａ）に示す状態から発射ハンドル２３が操作され、この発射ハンドル２３の操作中に球抜きレバー２５を操作、または、大当たりが発生した場合、上述したように、球送り片８４は支軸８４ｃを中心に傾動するため、先頭の遊技球１００ａは発射口７４に誘導され、２番目の遊技球１００ｂは上端部８４ａに誘導される。また、可動壁９０は、図１０（Ｂ）、（Ｃ）に示すように、先端部９１ａが第１位置９５ａから第２位置９５ｂに移動するように、支軸９２を中心に回動する。ここで、上述したように、上端部８４ａに保持される遊技球１００ｂの球抜き口７６側の上面が後続の遊技球にとって球抜き口７６へ流下するための案内面となるため、３番目の遊技球１００ｃは上端部８４ａに保持されている２番目の遊技球１００ｂの上を通過し、球抜き口７６に誘導される。
【００６３】
本発明の第２実施形態では、可動壁９０の先端部９１ａが第１位置９５ａから第２位置９５ｂに移動するように、可動壁９０を可動壁９０の基部９１ｂ側の支軸９２を中心に回動させることで、遊技球を球抜き口７６へ誘導する流路を開放させ、遊技球１００ｃを球抜き口７６へ流下させる。一方、球送り片８４を傾動させることで、球送り片８４に保持されている遊技球１００ａを発射口７４へ流下させる。これにより、導入口７２から誘導される遊技球を発射口７４及び球抜き口７６へ誘導することが可能となるため、遊技球を発射しながら、上皿の球抜きを行うことができる。
【００６４】
また、大当たりの発生に起因して、先端部９１ａが第１位置９５ａから第２位置９５ｂに移動するように、可動壁９０を基部９１ｂ側の支軸９２を中心に間欠的に回動させるため、大当たりが発生しても上皿が満杯となることがなく、球詰まりを防止することができる。
【００６５】
なお、第２実施形態でも傾斜板７８上の流下方向と反対方向に流下する勾配を球送り片８４の上端部８４ａに形成し、傾斜板７８の先端が突出するように傾斜板７８の裏面に待機壁８８を配設している。
即ち、図１０（Ａ）に示すように球送り片８４の上端部８４ａに形成した勾配により、発射口７４へ誘導される第１の遊技球１００ａは、傾斜板７８上の流下方向と略反対方向に流下し、待機壁８８に当接して待機する。ここで、傾斜板７８の先端は待機壁８８よりも図中左側（球抜き口７６側）へ突出しているため、待機壁８８に当接している第１の遊技球１００ａに続く第２の遊技球１００ｂが第１の遊技球１００ａと傾斜板７８の先端とに同時に接している状態において、第２の遊技球１００ｂの球心を通る垂線は、第１の遊技球１００ａの球心を通る垂線よりも傾斜板７８の先端側（球抜き口７６側）に位置する。つまり、第１の遊技球１００ａの球心と第２の遊技球１００ｂの球心とが偏位するような位置関係により、第１の遊技球１００ａの球抜き口７６側の上面が第２の遊技球１００ｂにとって球抜き口７６へ流下するための案内面となるため、傾斜板７８上を流下する第２の遊技球１００ｂを球送り片８４の上端部８４ａに保持されている第１の遊技球１００ａの上を容易に通過させることが可能となる。したがって、遊技球を発射口７４及び球抜き口７６へ流下させる際に、遊技球の流れを円滑にすることができる。
【００６６】
なお、第２実施形態では、大当たり発生時に自動的に球抜きを行ったが、この機構を第１実施形態のパチンコ機に適用可能であることは言うまでもない。
【図面の簡単な説明】
【図１】本発明の第１実施形態に係るパチンコ機を示す斜視図である。
【図２】本発明の第１実施形態に係るパチンコ機の内部構造を示す説明図である。
【図３】第１実施形態に係るパチンコ機の遊技領域を示す正面図である。
【図４】（Ａ）及び（Ｂ）は、第１実施形態に係る整流器の内部構造を示す説明図である。
【図５】図４に示す整流器に用いられる可動壁を示す斜視図である。
【図６】（Ａ）、（Ｂ）、（Ｃ）及び（Ｄ）は、第１実施形態に係る整流器内の遊技球の流れを示す説明図である。
【図７】図７は、図６（Ａ）の遊技球の位置関係を示す説明図である。
【図８】（Ａ）及び（Ｂ）は、第２実施形態に係る整流器の内部構造を示す説明図である。
【図９】図８に示す整流器に用いられる可動壁を示す斜視図である。
【図１０】（Ａ）、（Ｂ）及び（Ｃ）は、第２実施形態に係る整流器内の遊技球の流れを示す説明図である。
【図１１】（Ａ）、（Ｂ）及び（Ｃ）は、従来技術に係る整流器内の遊技球の流れを示す説明図である。
【符号の説明】
１０      パチンコ機
１３      遊技盤
１８      上皿パネル
２０      上皿
２２      下皿
２３      発射ハンドル
６４      発射鎚（発射装置）
７０      整流器
７２      導入口
７４      発射口
７６      球抜き口
７８      傾斜板
８０      可動壁
８４      球送り片
８５ａ    第１位置（第１の位置）
８５ｂ    第２位置（第２の位置）
８８      待機壁
９０      可動壁
９５ａ    第１位置（第１の位置）
９５ｂ    第２位置（第２の位置）
１０２ａ  球心
１０２ｂ  球心
【図１】
0003811725.tif 000002
【図２】
0003811725.tif 000003
【図３】
0003811725.tif 000004
【図４】
0003811725.tif 000005
【図５】
0003811725.tif 000006
【図６】
0003811725.tif 000007
【図７】
0003811725.tif 000008
【図８】
0003811725.tif 000009
【図９】
0003811725.tif 000010
【図１０】
0003811725.tif 000011
【図１１】
0003811725.tif 000012